(57)【要約】【課題】仮撮像に基づく参考画像を用いてユーザの本撮像を支援することが可能なクライアント端末、表示制御方法、プログラム、およびシステムを提供する。【解決手段】撮像部により仮撮像した仮撮像画像に基づいて検索された、本撮像の際に参考にされる参考撮像画像の候補を表示部に表示するよう制御する候補表示制御部と、表示された前記参考撮像画像の候補から選択された参考撮像画像に付加されている詳細情報を出力するよう制御する詳細情報出力制御部と、を備える、クライアント端末。【選択図】図２
2014178228.tif 000002
【特許請求の範囲】
【請求項１】
撮像部により仮撮像した仮撮像画像に基づいて検索された、本撮像の際に参考にされる参考撮像画像の候補を表示部に表示するよう制御する候補表示制御部と、
表示された前記参考撮像画像の候補から選択された参考撮像画像に付加されている詳細情報を出力するよう制御する詳細情報出力制御部と、
を備える、クライアント端末。
【請求項２】
前記詳細情報出力制御部は、前記詳細情報を、前記表示部に表示、または音声出力部から出力するよう制御する、請求項１に記載のクライアント端末。
【請求項３】
前記候補表示制御部は、前記参考撮像画像の候補を、各参考撮像画像の撮像位置に対応するよう地図画像上に表示するよう制御する、請求項１に記載のクライアント端末。
【請求項４】
前記候補表示制御部は、前記参考撮像画像の候補を、前記表示部の画面上において、前記クライアント端末のグリップ側に表示するよう制御する、請求項１に記載のクライアント端末。
【請求項５】
前記詳細情報出力制御部は、前記参考撮像画像の候補を表示している画面上に、前記詳細情報を表示するよう制御する、請求項１に記載のクライアント端末。
【請求項６】
前記詳細情報出力制御部は、前記参考撮像画像の選択に応じて切り替えられた本撮像のプレビュー画面上に、前記詳細情報を表示するよう制御する、請求項１に記載のクライアント端末。
【請求項７】
前記詳細情報は、撮像パラメータ、撮像位置情報、および撮像日時情報の少なくともいずれかを含む、請求項１に記載のクライアント端末。
【請求項８】
前記クライアント端末は、
前記参考撮像画像の選択に応じて本撮像モードに切り替えられた際、前記選択された参考撮像画像に付加されている前記詳細情報に含まれる撮像パラメータを設定するパラメータ設定部をさらに備える、請求項１に記載のクライアント端末。
【請求項９】
前記クライアント端末は、
前記参考撮像画像の選択に応じて本撮像モードに切り替えられた際、前記選択された参考撮像画像に応じた本撮像ガイド情報を、本撮像のプレビュー画面上に表示するよう制御するガイド情報表示制御部をさらに備える、請求項１に記載のクライアント端末。
【請求項１０】
前記本撮像ガイド情報は、選択された参考撮像画像と同様の構図またはアングルを取るためのガイド情報、および前記クライアント端末の持ち方のガイド情報の少なくともいずれかを含む、請求項９に記載のクライアント端末。
【請求項１１】
前記候補表示制御部は、各参考撮像画像の候補に付加されているスコア情報に応じて、各参考撮像画像の表示位置または／および表示サイズを制御する、請求項１に記載のクライアント端末。
【請求項１２】
前記参考撮像画像とは、前記仮撮像した仮撮像画像に含まれる被写体と同じ／似た被写体、または当該仮撮像画像と同じ／似た構図、アングル、エフェクトの撮像画像である、請求項１に記載のクライアント端末。
【請求項１３】
前記候補表示制御部は、本撮像した本撮像画像に基づいて再検索された参考撮像画像の候補を前記表示部に表示するよう制御する、請求項１に記載のクライアント端末。
【請求項１４】
前記クライアント端末は、
前記参考撮像画像の候補をサーバから受信する受信部をさらに備える、請求項１に記載のクライアント端末。
【請求項１５】
前記クライアント端末は、
前記参考撮像画像を記憶する記憶部と、
前記仮撮像した仮撮像画像に基づいて、前記記憶部から参考撮像画像の候補を検索する検索部と、
をさらに備える、請求項１に記載のクライアント端末。
【請求項１６】
撮像部により仮撮像した仮撮像画像に基づいて検索された、本撮像の際に参考にされる参考撮像画像の候補を表示部に表示するよう制御するステップと、
表示された前記参考撮像画像の候補から選択された参考撮像画像に付加されている詳細情報を出力するよう制御するステップと、
を含む、表示制御方法。
【請求項１７】
コンピュータに、
撮像部により仮撮像した仮撮像画像に基づいて検索された、本撮像の際に参考にされる参考撮像画像の候補を表示部に表示するよう制御する処理と、
表示された前記参考撮像画像の候補から選択された参考撮像画像に付加されている詳細情報を出力するよう制御する処理と、
を実行させるための、プログラム。
【請求項１８】
仮撮像した仮撮像画像をサーバに送信する送信部と；
仮撮像した仮撮像画像に基づいて検索された参考撮像画像の候補を前記サーバから受信する受信部と；
前記受信部により受信した参考撮像画像の候補を表示部に表示するよう制御する候補表示制御部と；
表示された前記参考撮像画像の候補から選択された参考撮像画像に付加されている詳細情報を出力するよう制御する詳細情報出力制御部と；
を有する、クライアント端末と、
前記参考撮像画像を記憶する記憶部と；
前記クライアント端末から送信された前記仮撮像画像に基づいて、前記記憶部から参考撮像画像の候補を検索する検索部と；
前記検索部により検索された参考撮像画像の候補を前記クライアント端末に送信する送信部と；
を有する、サーバと、
を備える、システム。
【発明の詳細な説明】
【技術分野】
【０００１】
本開示は、クライアント端末、表示制御方法、プログラム、およびシステムに関する。
【背景技術】
【０００２】
一般的に、デジタルカメラにおいて、写真を撮る際、複数の撮影シーン（ポートレート、夜景、夕焼け、スポーツ等）から任意に選択すると、各シーンに合った設定（シャッタースピード、絞り調整、フラッシュ有無等）が自動的に行われる。ただし、撮影シーンの選択はユーザによる手動選択に任されていた。【０００３】
また、撮影した写真には、ＥＸＩＦ情報として撮影時の各種パラメータが保存されるが、カメラをどのように操作して写真を撮影したのかといった情報は保存されないので、他人が撮影した写真がどのように撮られたものであるかは、ＥＸＩＦ情報以外には分からなかった。【０００４】
ここで、写真撮影を補助する技術として、以下のような技術が提案されている。【０００５】
例えば、下記引用文献１は、被写体の特定の領域を含む構図で、被写体を撮影する際に、自動的に撮像倍率を決定し、構図の良い画像を容易に撮影可能な撮像装置が提供されている。【０００６】
また、下記引用文献２は、撮影機会を逃さないようにしつつ、顔の状態に応じて人物の顔を綺麗に撮影する技術が提供されている。【０００７】
さらに、下記引用文献３は、撮影した写真画像を、ネットワークを介して複数の利用者の間で共有することで、現実の繋がりのあるコミュニティを構築する技術が提案されている。
【先行技術文献】
【特許文献】
【０００８】
【特許文献１】特開２０１２−３９５９１号公報
【特許文献２】特開２０１２−１７８６６６号公報
【特許文献３】特開２０１１−７６４２７号公報
【発明の概要】
【発明が解決しようとする課題】
【０００９】
しかしながら、上記いずれの特許文献においても、撮像を行う際に、参考画像候補から撮りたい撮像画像を選択する画面が表示されることはなかった。【００１０】
そこで、本開示では、仮撮像に基づく参考画像を用いてユーザの本撮像を支援することが可能な、新規かつ改良されたクライアント端末、表示制御方法、プログラム、およびシステムを提案する。
【課題を解決するための手段】
【００１１】
本開示によれば、撮像部により仮撮像した仮撮像画像に基づいて検索された、本撮像の際に参考にされる参考撮像画像の候補を表示部に表示するよう制御する候補表示制御部と、表示された前記参考撮像画像の候補から選択された参考撮像画像に付加されている詳細情報を出力するよう制御する詳細情報出力制御部と、を備える、クライアント端末を提案する。【００１２】
本開示によれば、撮像部により仮撮像した仮撮像画像に基づいて検索された、本撮像の際に参考にされる参考撮像画像の候補を表示部に表示するよう制御するステップと、表示された前記参考撮像画像の候補から選択された参考撮像画像に付加されている詳細情報を出力するよう制御するステップと、を含む、表示制御方法を提案する。【００１３】
本開示によれば、コンピュータに、撮像部により仮撮像した仮撮像画像に基づいて検索された、本撮像の際に参考にされる参考撮像画像の候補を表示部に表示するよう制御する処理と、表示された前記参考撮像画像の候補から選択された参考撮像画像に付加されている詳細情報を出力するよう制御する処理と、
を実行させるための、プログラムを提案する。【００１４】
本開示によれば、仮撮像した仮撮像画像をサーバに送信する送信部と、仮撮像した仮撮像画像に基づいて検索された参考撮像画像の候補を前記サーバから受信する受信部と、前記受信部により受信した参考撮像画像の候補を表示部に表示するよう制御する候補表示制御部と、表示された前記参考撮像画像の候補から選択された参考撮像画像に付加されている詳細情報を出力するよう制御する詳細情報出力制御部と、を有する、クライアント端末と、前記参考撮像画像を記憶する記憶部と、前記クライアント端末から送信された前記仮撮像画像に基づいて、前記記憶部から参考撮像画像の候補を検索する検索部と、前記検索部により検索された参考撮像画像の候補を前記クライアント端末に送信する送信部と、を有する、サーバと、を備える、システムを提案する。
【発明の効果】
【００１５】
以上説明したように本開示によれば、仮撮像に基づく参考画像を用いてユーザの本撮像を支援することが可能となる。
【図面の簡単な説明】
【００１６】
【図１】本開示の一実施形態による撮影支援システムの概要を説明するための図である。
【図２】本実施形態によるデジタルカメラの内部構成例を示すブロック図である。
【図３】本実施形態による参考画像候補の表示方法の一例を説明するための図である。
【図４】本実施形態による参考画像候補の表示方法の他の例を説明するための図である。
【図５】本撮影切り替え前の状態において詳細情報が出力される場合について説明するための図である。
【図６】オートモードにおけるガイド情報の表示例を示す図である。
【図７Ａ】マニュアルモードにおけるガイド情報の表示例を示す図である。
【図７Ｂ】マニュアルモードにおけるガイド情報の表示例を示す図である。
【図８】本実施形態によるサーバの構成例を示すブロック図である。
【図９】本実施形態による記憶部が保持するデータ構成例について説明するための図である。
【図１０】本実施形態による撮影支援処理を示すシーケンス図である。
【図１１】本撮影画像に基づく参考画像の再検索処理を示すシーケンス図である。
【図１２】本開示の他の実施形態によるデジタルカメラの内部構成例を示すブロック図である。
【図１３】本開示の他の実施形態による撮影支援処理を示すフローチャートである。
【発明を実施するための形態】
【００１７】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１８】
また、説明は以下の順序で行うものとする。
１．本開示の一実施形態による撮影支援システムの概要
２．基本構成
２−１．デジタルカメラの構成
２−２．サーバの構成
３．動作処理
４．他の実施形態
５．まとめ
【００１９】
＜＜１．本開示の一実施形態による撮影支援システムの概要＞＞
まず、本開示の一実施形態による撮影支援システムの概要について、図１を参照して説明する。
【００２０】
図１は、本開示の一実施形態による撮影支援システムの概要を説明するための図である。図１に示すように、本実施形態による撮影支援システムは、デジタルカメラ１（クライアント端末）と、サーバ２を含み、デジタルカメラ１とサーバ２は、無線／有線接続し、データの送受信を行う。具体的には、デジタルカメラ１は、無線ＬＡＮ（Ｌｏｃａｌ  Ａｒｅａ  Ｎｅｔｗｏｒｋ）、Ｗｉ−Ｆｉ（登録商標）等の無線通信、または有線通信により、ネットワークに接続し、ネットワーク上のサーバ２とデータの送受信を行う。
【００２１】
本開示によるサーバ２は、ユーザや他ユーザが撮影した撮影画像を管理し、デジタルカメラ１からの要求に応じて所定の撮影画像をデジタルカメラ１に送信したり、デジタルカメラ１で撮影された撮影画像をデジタルカメラ１から受信したりすることができる。
【００２２】
デジタルカメラ１は、図１に示すように、デジタルカメラ１を形成する筐体の１面に表示部１２ａ（出力デバイス１２の一例）を有し、表示部１２ａが設けられている面と対向する側の面（不図示）には、撮像レンズやフラッシュが設けられている。表示部１２ａは、タッチセンサ１１ａ（入力デバイス１１の一例）が積層されたタッチパネルディスプレイであってもよく、表示画面に対するユーザ操作が検出される。
【００２３】
また、デジタルカメラの上面には、シャッターボタン１１ｂや、ズームレバー１１ｃ、電源ＯＮ／ＯＦＦボタン（不図示）が設けられている。
【００２４】
さらに、図１に示すように、表示部１２ａの横には、メニューボタンや再生ボタン、決定ボタン、削除ボタン、モード切替ボタン等の各種操作ボタン１１ｄが設けられている。モード切替ボタンは、マニュアル撮影モード、オート撮影モード、パノラマ撮影モード、ビデオ撮影モード等といった撮影モードの切り替えを行うためのボタンである。再生ボタンは、デジタルカメラ１に記憶されている撮像画像を表示部１２ａに再生するためのボタンである。
【００２５】
ユーザは、デジタルカメラ１の電源をＯＮして、所定の撮影モードを設定すると、デジタルカメラ１（の撮像レンズ）を、被写体（例えば、東京タワー）に向ける。デジタルカメラ１は、撮像レンズで集光してＣＣＤ等の撮像素子で受光することにより逐次撮像される被写体像のデジタルデータであるスルー画像Ｐ１を、表示部１２ａに継続的に（リアルタイムに）表示する。ユーザは、このように表示部１２ａに表示されるスルー画像Ｐ１を見ながらフレーミングの状態を確認し、撮影操作を行うことができる。
【００２６】
ここで、通常、オート撮影モードの場合、複数の撮影シーン（ポートレート、夜景、夕焼け、スポーツ等）からユーザが任意の撮影シーンを選択すると、当該シーンに応じた設定（シャッタースピード、絞り調整、フラッシュ有無等）が自動的に行われる。
【００２７】
しかしながら、撮影シーンの選択はユーザが手動で行い、また、各撮影シーンに応じた設定は自動的に行われるので、必ずしもユーザが撮りたいと思う色合いや雰囲気のシーンが撮影できるとは限らない。また、マニュアル撮影モードであればユーザが自ら撮影の各種設定を行うことができるが、撮影に関する専門的な知識がないと、どのように設定すれば撮りたいシーンが撮れるのかを適切に判断することは困難である。
【００２８】
以上の事情を鑑みて、本開示による撮影支援システムでは、仮撮影に基づいて検索した参考撮像画像（以下、参考画像とも称す）を表示し、選択された参考画像の詳細情報を表示また詳細情報に含まれる撮影パラメータを自動設定することで、ユーザの本撮影操作を支援することができる。ユーザは、実際に撮像された撮像画像を参考にすることで、撮りたいシーンの指示を具体的に行うことができる。また、参考にする撮像画像に関する詳細情報として、撮影パラメータや撮影位置／日時情報等が出力されることで、ユーザは、撮影したい画像の詳細情報を把握し、参考画像と同様の撮影操作を効果的に実行することができる。
【００２９】
また、候補となる参考画像は、デジタルカメラ１において仮撮影された画像に基づいて、サーバ２により検索され送信された他ユーザの画像であってもよい。これにより、ユーザは、ソーシャルな繋がりを感じながら撮影を行うことができる。
【００３０】
以上、本開示の一実施形態における撮影支援システムの概要について説明した。続いて、本実施形態による撮影支援システムに含まれるデジタルカメラ１（クライアント端末）とサーバ２の構成について、図２〜図９を参照して詳細に説明する。
【００３１】
なお、図１に示す例では、本実施形態によるクライアント端末の一例としてデジタルカメラ１を図示したが、本実施形態によるクライアント端末はこれに限定されず、例えばデジタルビデオカメラや、撮像機能を有する携帯電話、ＰＨＳ（Ｐｅｒｓｏｎａｌ  Ｈａｎｄｙ−ｐｈｏｎｅ  Ｓｙｓｔｅｍ）、スマートフォン、ＰＤＡ（Ｐｅｒｓｏｎａｌ  Ｄｉｇｉｔａｌ  Ａｓｓｉｓｔａｎｔ）、ＨＭＤ（ヘッドマウントディスプレイ）、シースルーＨＭＤ（メガネ型ＨＭＤ）、またはノートＰＣ等であってもよい。
【００３２】
＜＜２．基本構成＞＞
＜２−１．デジタルカメラの構成＞
図２は、本実施形態によるデジタルカメラ１の内部構成例を示すブロック図である。図２に示すように、本実施形態によるデジタルカメラ１は、主制御部１０、入力デバイス１１、出力デバイス１２、記憶部１３、および通信部１４を有する。
【００３３】
（入力デバイス）
入力デバイス１１は、デジタルカメラ１に情報を入力するためのデバイスである。具体的には、入力デバイス１１は、表示部１２ａに積層されるタッチセンサ１１ａ、デジタルカメラ１の上面等に設けられるシャッターボタン１１ｂ、ズームレバー１１ｃ、各種操作ボタン１１ｄ等のユーザ操作を入力するためのデバイスにより実現される。
【００３４】
また、入力デバイス１１は、撮像レンズを含む撮像光学系、撮像素子、および画像信号処理部を含む撮像モジュールにより実現される。撮像素子は、例えばＣＣＤ（Ｃｈａｒｇｅ  Ｃｏｕｐｌｅｄ  Ｄｅｖｉｃｅ）イメージャやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージャにより実現される。画像信号処理部は、ノイズ除去、階調補正、色補正、歪み補正、ぶれ補正、画像の圧縮伸長等を行うことができる。また、画像処理部は、特徴量検出処理を行い、画像および画像の特徴量データを主制御部１０に供給する。
【００３５】
さらに、入力デバイス１１は、マイクロフォンおよび音声信号処理部により実現される。マイクロフォンおよび音声信号処理部が設けられることにより、ユーザによる音声入力が可能となる。
【００３６】
入力デバイス１１は、入力された各情報を主制御部１０に供給する。
【００３７】
（出力デバイス）
出力デバイス１２は、デジタルカメラ１からユーザへの出力情報を再生するデバイスである。具体的には、出力デバイス１２は、表示部１２ａまたはスピーカ（不図示）等により実現される。表示部１２ａは、例えばＬＣＤ（Ｌｉｑｕｉｄ  Ｃｒｙｓｔａｌ  Ｄｉｓｐｌａｙ）またはＯＬＥＤ（Ｏｒｇａｎｉｃ  Ｌｉｇｈｔ−Ｅｍｉｔｔｉｎｇ  Ｄｉｏｄｅ）等により実現される。
【００３８】
（主制御部）
主制御部１０は、デジタルカメラ１の各構成を制御する。主制御部１０は、例えばマイクロプロセッサにより実現される。また、本実施形態による主制御部１０は、図２に示すように、仮撮影制御部１０ａ、参考画像候補表示制御部１０ｂ、詳細情報出力制御部１０ｃ、本撮影ガイド情報表示制御部１０ｄ、パラメータ設定部１０ｅ、選択通知部１０ｆとして機能する。
【００３９】
・仮撮影制御部
仮撮影制御部１０ａは、入力デバイス１１の撮像モジュールを用いて被写体の仮撮影（前撮り）を行う。被写体の仮撮影は、ユーザが撮影したい被写体に撮像レンズを向けて、表示部１２ａに表示されるスルー画像Ｐ１（プレビュー画面）に被写体が含まれる状態になった場合に行われる。このとき、ユーザは構図やアングル等を特に意識せずに、被写体をスルー画像に含める（画角に含める）だけでよい。
【００４０】
仮撮影の指示は、例えば入力デバイス１１からユーザによる仮撮影指示が入力された場合に行う。具体的には、シャッターボタン１１ｂが押下された場合、スルー画像に含まれる被写体にタッチしたことがタッチセンサ１１ａにより検出された場合、マイクロフォンから音声入力により仮撮影の指示があった場合等である。なおシャッターボタン１１ｂの押下は、後述する本撮影の際にもトリガとして用いられるが、本撮影との区別の方法として、例えば１回目のシャッターボタン１１ｂの押下は仮撮影、また、シャッターボタン１１ｂの半押し／長押しは仮撮影としてもよい。
【００４１】
また、仮撮影の指示は、上記ユーザによる明示的な仮撮影の指示の他、ユーザの興味が被写体に向いていることが認識されることによる暗示的な仮撮影の指示であってもよい。暗示的な仮撮影の指示とは、例えばスルー画像Ｐ１が所定時間停止した場合（被写体をスルー画像に含めたまま一定時間動かされなかった場合）である。この場合、仮撮影制御部１０ａは、スルー画像Ｐ１に含まれる被写体にユーザの興味が向いていると認識し、仮撮影を行う。また、デジタルカメラ１がインカメラ（撮影者であるユーザ側を向くよう設けられたカメラ）を有する場合、主制御部１０は、当該インカメラによりユーザの視線方向を検出することができる。仮撮影制御部１０ａは、検出されたユーザの視線方向に基づくユーザの視線がスルー画像内の特定の被写体を所定時間見つめている場合、当該被写体にユーザの興味が向いていると認識して仮撮影を行う。また、このようなインカメラの他、ユーザの視線を検出する機能を有するファインダーがデジタルカメラ１に設けられていてもよい。この場合、仮撮影制御部１０ａは、当該ファインダーにより検出されたユーザの視線方向に基づくユーザの視線が特定の被写体を所定時間見つめている場合、当該被写体にユーザの興味が向いていると認識して仮撮影を行うことができる。このように、ユーザが、撮像レンズを被写体に向けて所定時間静止したり、スルー画像に含まれる被写体を所定時間見たりすることで、特定の被写体に興味を示すと、仮撮影制御部１０ａにより仮撮影が行われる。
【００４２】
そして、仮撮影制御部１０ａは、仮撮影した仮撮影画像を、上記画像信号処理部で仮撮影画像から検出された特徴量データ（被写体の色や形等）と共に、通信部１４からサーバ２に送信するよう制御する。
【００４３】
・参考画像候補表示制御部
参考画像候補表示制御部１０ｂは、通信部１４を介してサーバ２から送信された参考画像候補（参考撮像画像候補）を、表示部１２ａに表示するよう制御する。サーバ２では、後述するように、デジタルカメラ１から送信された仮撮影画像および特徴量データに基づいて、同じ被写体や似た被写体を撮影した撮影画像を検索し、参考画像候補としてデジタルカメラ１に送信する。例えば、図１に示すスルー画像Ｐ１が仮撮影された場合（以下、仮撮影画像Ｐ１と称す）、サーバ２は、仮撮影画像Ｐ１に含まれる被写体「東京タワー」の特徴量データに基づき、同じ「東京タワー」の撮像画像や似た他のタワー（エッフェル塔、東京スカイツリー等）の撮像画像を検索する。検索対象の撮像画像は、ユーザが過去に撮像した画像であってもよいし、他ユーザが撮像した画像であってもよい。サーバ２は、このように検索した撮像画像を、参考画像候補としてデジタルカメラ１に送信する。また、サーバ２は、送信する参考画像候補を、スコアに基づいた得点順にリスト化して送信する場合もある。これにより、参考画像候補表示制御部１０ｂは、ユーザが撮ろうとしている被写体または似た被写体の撮像画像を参考画像候補として表示部１２ａに表示することができる。
【００４４】
表示された参考画像候補の選択は、各種操作ボタン１１ｄに含まれる決定ボタンやアシストボタン、タッチセンサ１１ａにより検出される参考画像候補に対するタッチ操作（またはロングタップ操作／ダブルタップ操作）、またはマイクロフォン（不図示）からの音声入力が考えられる。または、表示された参考画像候補の選択は、インカメラを用いた視線入力であってもよい。
【００４５】
ここで、参考画像候補表示制御部１０ｂによる参考画像候補の表示方法は特に限定しないが、例えば以下図３および図４を用いて説明するような表示方法であってもよい。
【００４６】
図３は、本実施形態による参考画像候補の表示方法の一例を説明するための図である。図３左に示すように、ユーザがデジタルカメラ１を被写体に向けて仮撮影を行うと、デジタルカメラ１の表示部１２ａには、図３右に示すように、地図画像Ｐ２上に参考画像候補Ｃ１、Ｃ２、Ｃ３、Ｃ４が表示される。具体的には、参考画像候補表示制御部１０ｂは、地図画像Ｐ２上に、サーバ２から送信された参考画像候補Ｃ１〜Ｃ４の各撮影位置を示す目印アイコンを表示し、各目印アイコンに紐付けるように各参考画像候補Ｃ１〜Ｃ４を表示する。
【００４７】
ここで、参考画像候補表示制御部１０ｂは、サーバ２から送信された、スコア情報に基づいて得点順にされた参考画像リスト、または各参考画像に付加されているスコア情報に基づくランキングの上位に位置する参考画像程大きく表示してもよい。図３に示す例では、スコアの得点が参考画像候補Ｃ１、Ｃ２、Ｃ３、Ｃ４の順であるので、各画像の大きさは、図３に示すように参考画像候補Ｃ１、Ｃ２、Ｃ３、Ｃ４の順に小さくなる。
【００４８】
かかる参考画像候補の表示画面は、サーバ２で生成されて送信されてもよいし、参考画像候補表示制御部１０ｂが、参考画像候補Ｃ１〜Ｃ４に付加されている各撮影位置情報およびスコア情報に基づいて地図画像Ｐ２上に表示するよう制御して生成してもよい。
【００４９】
ユーザは、参考画像候補Ｃ１〜Ｃ４の中から、撮りたい構図やアングル、エフェクト、色合い等の撮像画像を選択する（例えばタッチ操作による選択）。このように、実際にユーザまたは他ユーザが撮像した撮像画像が表示されることで、ユーザは、撮りたい撮像画像を具体的に思い浮かべて、希望する構図やアングル等を具体的に指定することができる。図３に示す例では、４つの参考画像候補Ｃ１〜Ｃ４が表示されているが、表示部１２ａ右下の「ｏｔｈｅｒ」表示３０が選択されると、他の（例えば順位が５位以降の）参考画像候補が表示される。
【００５０】
また、スコアに応じて参考画像候補Ｃ１〜Ｃ４の大きさが異なって表示されることで、ユーザは、人気がある参考画像を直感的に把握することができる。
【００５１】
さらに、地図画像Ｐ２上に、各参考画像候補Ｃ１〜Ｃ４の撮影位置を示す目印アイコンが表示されることで、ユーザは、どの地点に移動すれば希望する参考画像候補と同様の撮像画像を取得できるかを直感的に把握することができる。なおデジタルカメラ１にＧＰＳ（Ｇｌｏｂａｌ  Ｐｏｓｉｔｉｏｎｉｎｇ  Ｓｙｓｔｅｍ）測位部が設けられている場合、参考画像候補表示制御部１０ｂは、地図画像Ｐ２上に、ユーザの現在位置を示す現在位置アイコンを併せて表示することができる。これにより、ユーザは、現在位置と、各参考画像候補Ｃ１〜Ｃ４の撮影位置との位置関係を直感的に把握することができる。
【００５２】
図４は、本実施形態による参考画像候補の表示方法の他の例を説明するための図である。図４に示すように、デジタルカメラ１の表示部１２ａには、仮撮影画像Ｐ１（スルー画像）が表示され、仮撮影画像（スルー画像）Ｐ１上に参考画像候補Ｃ１〜Ｃ４が表示される。ここで、参考画像候補Ｃ１〜Ｃ４は、例えば図４に示すように、デジタルカメラ１のグリップ部分（右端部分）を右手で把持している場合にデジタルカメラ１を把持したまま親指を動かした場合の可動範囲内に表示される。そして、参考画像候補表示制御部１０ｂは、親指に近い位置にスコアが高い（ランキング上位の）参考画像候補を表示することで、ユーザがランキング上位の参考画像候補を選択し易いようにすることができる。
【００５３】
また、参考画像候補表示制御部１０ｂは、図４に示すように、各参考画像候補Ｃ１〜Ｃ４の付近にランキング順位を表示してもよい。
【００５４】
なお図４に示す例でも、４つの参考画像候補Ｃ１〜Ｃ４のみが表示されているが、表示部１２ａ下方の「ｏｔｈｅｒ」表示３０が選択されると、他の（例えばランキング５位以降の）参考画像候補が表示される。
【００５５】
以上、参考画像候補表示制御部１０ｂの詳細について説明した。
【００５６】
・詳細情報出力制御部
詳細情報出力制御部１０ｃは、表示部１２ａに表示された参考画像候補から選択された参考画像候補に付加されている詳細情報を、表示部１２ａに表示、またはスピーカ（不図示）から音声出力するよう制御する。本明細書において、詳細情報とは、例えば撮影パラメータ（カメラ設定情報）、撮影場所（位置）情報、撮影日時情報、回転情報、機種情報、スコア情報等を含む。
【００５７】
また、詳細情報出力制御部１０ｃは、表示部１２ａに表示された参考画像候補から選択された参考画像候補に付加されている詳細情報を、本撮影切り替え前の状態において出力してもよいし、本撮影切り替え後の状態において出力してもよい。
【００５８】
一例として、本撮影切り替え前の状態において詳細情報が出力される場合について図５を参照して説明する。例えば、表示部１２ａに表示された参考画像候補Ｃ１がタッチされると、タッチセンサ１１ａによりユーザ選択操作が検出され、詳細情報出力制御部１０ｃは、図５に示すように、参考画像候補Ｃ１の詳細情報（撮影設定情報、撮影場所・日時情報、ランキング情報等）を表示する。これにより、ユーザは、撮りたい撮像画像の詳細な情報を把握することができる。そして、参考画像候補Ｃ１の選択を確定する操作が行われると、主制御部１０は、本撮影モードに切り替える。参考画像候補Ｃ１の選択を確定する操作とは、例えば参考画像候補Ｃ１が表示されている領域でのロングタップまたはダブルタップや、各種操作ボタン１１ｄに含まれる決定ボタンの押下等である。
【００５９】
また、本撮影切り替え後の状態における詳細情報の出力については、図７Ａ、図７Ｂを参照して後述する。
【００６０】
・本撮影ガイド情報表示制御部
本撮影ガイド情報表示制御部１０ｄは、表示部１２ａに表示された参考画像候補から参考画像候補が選択され、本撮影モードに切り替わった際に、選択された参考画像に応じた撮影補助情報を表示するよう制御する。撮影補助情報とは、例えば参考画像の解析結果や参考情報に付加されている詳細情報に基づいて、本撮影の構図やアングルをガイドするためのガイド情報である。
【００６１】
例えば参考画像に付加されている詳細情報に回転情報が含まれている場合、本撮影ガイド情報表示制御部１０ｄは、回転情報に基づいて参考画像が縦方向で撮影されたのか横方向で撮影されたのかが分かる。例えば縦方向の場合、本撮影ガイド情報表示制御部１０ｄは、本撮影のプレビュー画面（スルー画像）上に参考画像のサムネイルを縦方向に表示することにより、ユーザがデジタルカメラ１を縦方向に動かすようガイドする。
【００６２】
また、本撮影ガイド情報表示制御部１０ｄは、参考画像の解析結果に応じて、参考画像と同様の構図やアングルを取るための補助線を本撮影のプレビュー画面（スルー画像）上に表示することにより、ユーザの撮影動作（ズームや撮像方向の調整）をガイドする。
【００６３】
このように、参考画像と同様の構図やアングルで撮影を行うためのガイドが表示されることで、ユーザは、撮りたい画像を効果的に撮影することができる。なお、撮影補助情報の具体的な表示例は、図６〜図７を参照して後述する。
【００６４】
・パラメータ設定部
パラメータ設定部１０ｅは、表示部１２ａに表示された参考画像候補から参考画像候補が選択され、本撮影モードに切り替わった際に、選択された参考画像と同様の撮影パラメータを自動的に設定するよう制御する。撮影パラメータとは、例えば絞り調整（Ｆ値）、シャッタースピード、ＩＳＯ感度、ホワイトバランス、フラッシュ有無等である。これによりユーザは、設定の手間をかけることなく、撮りたい画像を効果的に撮影することができる。
【００６５】
なお、本実施形態によるパラメータ設定部１０ｅは、オートモードの場合は撮影パラメータを設定し、マニュアルモードの場合は設定しないようにしてもよい。以下、図６〜図７を参照して本撮影における撮影パラメータやガイド情報の表示例について具体的に説明する。
【００６６】
図６は、オートモードにおけるガイド情報の表示例を示す図である。図６に示す例は、図３〜図４で説明した参考画像候補Ｃ１〜Ｃ４のうち、参考画像候補Ｃ１が選択され、本撮影モードに切り替わった状態における表示画面例である。
【００６７】
図６左に示すように、デジタルカメラ１の表示部１２ａには、撮像レンズで逐次撮像される本撮影のプレビュー画面（スルー画像Ｐ３）がリアルタイムで表示されている。ここで、本実施形態による本撮影ガイド情報表示制御部１０ｄは、参考画像候補Ｃ１の回転情報（９０度回転／縦方向）に応じて、本撮影のプレビュー画面（スルー画像Ｐ３）上に、参考画像候補Ｃ１のサムネイルである参考画像Ｒを縦方向に表示する。また、本撮影ガイド情報表示制御部１０ｄは、参考画像候補Ｃ１の解析結果に基づいて、本撮影のプレビュー画面（スルー画像Ｐ３）上に、参考画像候補Ｃ１と同様の構図を取るための補助線３１を表示する。
【００６８】
これにより、ユーザは、図６右に示すように、デジタルカメラ１を縦方向に回転させ、さらに補助線３１に被写体が重なるようデジタルカメラ１を動かして撮像方向を変えることで、参考画像Ｒと同様の方向（回転方向）や構図を取ることができる。
【００６９】
また、パラメータ設定部１０ｅは、参考画像候補Ｃ１に付加されている撮影パラメータに基づいて、同様の撮影パラメータを設定する。なお、図６に示す例はオートモードであって、パラメータ設定部１０ｅにより撮影パラメータが自動的に設定されるので、詳細情報出力制御部１０ｃによる詳細情報（撮影パラメータを含む）の表示は行われない。
【００７０】
以上によりユーザは、撮影パラメータの設定の手間をかけずに、また、参考画像Ｒの向きや補助線３１に従ってデジタルカメラ１を動かすことで、撮りたい画像である参考画像Ｒと同様の画像を効果的に撮影することができる。
【００７１】
次に、マニュアルモードにおけるガイド情報の表示例について図７Ａ、図７Ｂを参照して説明する。図７Ａ、図７Ｂは、マニュアルモードにおけるガイド情報の表示例を示す図である。図７Ａ、図７Ｂに示す例も、図３〜図４で説明した参考画像候補Ｃ１〜Ｃ４のうち、参考画像候補Ｃ１が選択され、本撮影モードに切り替わった状態における表示画面例である。
【００７２】
図７Ａに示すように、デジタルカメラ１の表示部１２ａには、図６と同様に、撮像レンズで逐次撮像される本撮影のプレビュー画面（スルー画像Ｐ３）がリアルタイムで表示されている。また、本撮影ガイド情報表示制御部１０ｄは、図６に示す場合と同様に、参考画像候補Ｃ１の回転情報に応じて、本撮影のプレビュー画面（スルー画像Ｐ３）上に、参考画像候補Ｃ１のサムネイルである参考画像Ｒを縦方向に表示する。また、本撮影ガイド情報表示制御部１０ｄは、参考画像候補Ｃ１の解析結果に基づいて、本撮影のプレビュー画面（スルー画像Ｐ３）上に、参考画像候補Ｃ１と同様の構図を取るための補助線３１を表示する。これにより、ユーザは、デジタルカメラ１を縦方向に回転させ、さらに補助線３１に被写体が重なるようデジタルカメラ１を動かして撮像方向を変えることで、参考画像Ｒと同様の方向（回転方向）や構図を取ることができる。
【００７３】
また、詳細情報出力制御部１０ｃは、図７Ａに示すように、参考画像候補Ｃ１（参考画像Ｒ）に付加されている詳細情報３３を表示する。詳細情報３３は、例えば撮影パラメータ（Ｆ値、シャッタースピード等）、撮影場所、撮影時刻を含む。これによりユーザは、参考画像Ｒと同様の画像を撮影するために、表示された撮影パラメータを参考にしてデジタルカメラ１の撮影パラメータを設定したり、撮影場所を移動したり、撮影時刻まで待ったりすることができる。なお、図７Ａに示す例はマニュアルモードであって、詳細情報出力制御部１０ｃにより撮影パラメータを含む詳細情報３３が表示されるので、パラメータ設定部１０ｅによる自動的な撮影パラメータの設定は行われない。
【００７４】
さらに、本撮影ガイド情報表示制御部１０ｄは、図７Ｂに示すように、デジタルカメラ１の持ち方（構え方）や注意点を説明するための表示３５（撮影ガイド情報の一例）を表示部１２ａに表示してもよい。
【００７５】
以上によりユーザは、参考画像Ｒの撮影パラメータの内容を把握した上で、デジタルカメラ１の撮影パラメータを設定したり、参考画像Ｒの向きや補助線３１に従ってデジタルカメラ１を動かしたり、撮影場所の案内に従って移動したりすることで、撮りたい画像を効果的に撮影することができる。なお、図７Ａ、図７Ｂに示す参考画像Ｒの撮影場所や撮影時刻の表示は、図６を参照して説明したオートモードでも表示されてもよい。また、図７Ｂに示すデジタルカメラ１の持ち方（構え方）や注意点を説明するための表示３５は、図６を参照して説明したオートモードでも表示されてもよい。
【００７６】
・選択通知部
選択通知部１０ｆは、参考画像候補表示制御部１０ｂにより表示部１２ａに表示された参考画像候補から選択された参考画像候補を、通信部１４を介してサーバ２に通知するよう制御する。かかる通知により、後述するサーバ２において、参考画像のスコア（参考回数）が更新される。
【００７７】
（記憶部）
記憶部１３は、本撮影された撮影画像を保持する記憶媒体である。例えば記憶部１３は、カード型メモリなどのフラッシュメモリにより実現される。また、記憶部１３は、主制御部１０が上記各機能を実行するためのプログラムが記憶されたＲＯＭ（Ｒｅａｄ  Ｏｎｌｙ  Ｍｅｍｏｒｙ）や、主制御部１０が上記各機能を実行する際にワークエリアとして利用されるＲＡＭ（Ｒａｎｄｏｍ  Ａｃｃｅｓｓ  Ｍｅｍｏｒｙ）を含む。
【００７８】
（通信部）
通信部１４は、無線／有線接続により外部装置とデータの送受信を行う。具体的には、例えば通信部１４は、無線ＬＡＮ、Ｗｉ−Ｆｉ（登録商標）等の無線通信、または有線通信により、ネットワークに接続し、ネットワーク上のサーバ２とデータの送受信を行う。
【００７９】
以上、本実施形態によるデジタルカメラ１の構成について詳細に説明した。続いて、本実施形態によるサーバ２の構成について図８〜図９を参照して説明する。
【００８０】
＜２−２．サーバの構成＞
図８は、本実施形態によるサーバ２の構成を示すブロック図である。図８に示すように、サーバ２は、主制御部２０、記憶部２３、および通信部２４を有する。
【００８１】
（主制御部）
主制御部２０は、サーバ２の各構成を制御する。主制御部２０は、例えばマイクロプロセッサにより実現される。また、本実施形態による主制御部２０は、図８に示すように、参考画像検索部２０ａ、およびスコア管理部２０ｂとして機能する。
【００８２】
・参考画像検索部
参考画像検索部２０ａは、デジタルカメラ１から送信された仮撮影画像および特徴量データに基づいて、仮撮影画像に含まれる被写体または似た被写体を撮影した他の撮影画像（参考画像）を記憶部２３から検索する。また、参考画像検索部２０ａは、検索した撮影画像のリスト（参考画像リスト）をデジタルカメラ１に送信する。デジタルカメラ１に送信される参考画像には、詳細情報として、撮影設定情報（撮影パラメータ）、撮影場所情報、撮影日時情報、スコアに基づくランキング情報、機種情報等が付加されている。また、参考画像検索部２０ａは、仮撮影画像の構図、アングル、エフェクトと似た構図、アングル、エフェクトの他の撮影画像を、参考画像として記憶部２３から検索することも可能である。
【００８３】
・スコア管理部
スコア管理部２０ｂは、デジタルカメラ１から送信された選択通知に応じて、選択通知で示される撮影画像（参考画像）のスコアを更新する。当該スコアは、デジタルカメラ１において参考画像として選択された（本撮影の際に参考するために選択された）回数を示すものである。サーバ２は、複数のデジタルカメラ１から選択通知を受信し、記憶部２３に保持する各撮影画像のスコアを更新していくことで、複数のユーザ間で人気の撮影画像（参考画像）をランキングすることができる。
【００８４】
（記憶部）
記憶部２３は、撮影画像を保持する記憶媒体である。また、記憶部２３は、主制御部２０が上記各機能を実行するためのプログラムが記憶されたＲＯＭ（Ｒｅａｄ  Ｏｎｌｙ  Ｍｅｍｏｒｙ）や、主制御部２０が上記各機能を実行する際にワークエリアとして利用されるＲＡＭ（Ｒａｎｄｏｍ  Ａｃｃｅｓｓ  Ｍｅｍｏｒｙ）を含む。
【００８５】
記憶部２３が保持する撮影画像のデータ構成例について図９を参照して説明する。図９は、記憶部２３が保持するデータ２３１の一例を示す図である。記憶部２３は、図９に示すように、各撮影画像（参考画像）に、詳細情報、被写体情報、およびスコア情報を対応付けて保持している。
【００８６】
詳細情報は、撮影パラメータ、撮影日時・場所情報、保持方向（回転情報）、サムネイル画像等を含む撮影画像のメタデータである。
【００８７】
また、被写体情報は、撮影画像の解析結果（特徴量データを含む）に基づいて主制御部２０により判断された被写体の名称や、被写体の特徴量データ（被写体の色や形等）である。図９に示す例では、被写体情報として、被写体の名称「東京タワー」が対応付けられている。このように、予め撮影画像に被写体の名称や被写体の特徴量データが対応付けられていることで、参考画像検索部２０ａによる検索がより効率的に行われる。
【００８８】
スコア情報は、上述したように、デジタルカメラ１において本撮影の際に参考するための画像として選択された回数を示すものであって、スコア管理部２０ｂにより更新される。
【００８９】
（通信部）
通信部２４は、無線／有線接続により外部装置とデータの送受信を行う。具体的には、例えば通信部２４は、有線通信によりネットワークに接続し、ネットワークを介してデジタルカメラ１とデータの送受信を行う。
【００９０】
以上、本実施形態によるサーバ２の構成について詳細に説明した。続いて、本実施形態による撮影支援システムの動作処理について、図１０〜図１１を参照して具体的に説明する。
【００９１】
＜＜３．動作処理＞＞
図１０は、本実施形態による撮影支援処理を示すシーケンス図である。図１０に示すように、まず、ステップＳ１０３において、デジタルカメラ１の仮撮影制御部１０ａは、仮撮影を実行する。
【００９２】
次いで、ステップＳ１０６において、デジタルカメラ１は、仮撮影画像を通信部１４からサーバ２に送信する。この際、デジタルカメラ１は、仮撮影画像と共に、仮撮影画像の特徴量データを併せて送信してもよい。
【００９３】
次に、ステップＳ１０９において、サーバ２の参考画像検索部２０ａは、デジタルカメラ１から送信された仮撮影画像に基づいて、参考画像を検索する。具体的には、参考画像検索部２０ａは、仮撮影画像および特徴量データに基づいて、仮撮影画像に含まれる被写体または似た被写体を撮影した他の撮影画像（参考画像）を記憶部２３から検索する。
【００９４】
次いで、ステップＳ１１２において、サーバ２の参考画像検索部２０ａは、記憶部２３から検索した各参考画像のスコア情報を使用して、スコアの得点順に各参考画像をリスト化する。
【００９５】
続いて、ステップＳ１１５において、サーバ２は、参考画像リストと各参考画像に付加されている詳細情報をデジタルカメラ１に送信する。この際、サーバ２は、各参考画像に対応付けられているスコア情報も各詳細情報に含めて送信してもよい。
【００９６】
次に、ステップＳ１１８において、デジタルカメラ１の参考画像候補表示制御部１０ｂは、サーバ２から送信された参考画像リストに応じて、表示部１２ａに参考画像候補を表示するよう制御する。具体的には、参考画像候補表示制御部１０ｂは、リストの上位所定数の参考画像候補を表示部１２ａに表示したり、リストの順位に応じて表示位置や表示画像の大きさを制御したりする。
【００９７】
次いで、ステップＳ１２１において、デジタルカメラ１は、表示部１２ａに表示された参考画像候補に対するユーザによる参考画像の選択を受け付ける。ここでの参考画像の選択とは、本撮影の際に参考にするための画像を選択する行為である。
【００９８】
次に、ステップＳ１２４において、デジタルカメラ１の選択通知部１０ｆは、選択された参考画像を示す通知をサーバ２に対して行う。
【００９９】
そして、ステップＳ１２７において、サーバ２のスコア管理部２０ｂは、デジタルカメラ１からの選択通知に基づいて、記憶部２３に保持されている当該選択画像のスコアをインクリメントし、スコアを更新する。
【０１００】
一方、ステップＳ１３０において、デジタルカメラ１の主制御部１０は、本撮影モードに切り替えて、ユーザに選択された参考画像に基づく撮影パラメータの設定、表示、本撮影ガイド情報の表示等を行う。具体的には、例えば詳細情報出力制御部１０ｃは、本撮影のプレビュー画面において、ユーザに選択された参考画像Ｒの撮影パラメータや撮影場所・日時情報等を表示するよう制御する。また、本撮影ガイド情報表示制御部１０ｄは、本撮影のプレビュー画面において、参考画像Ｒと同様の構図やアングルを取れるよう補助線を表示する。また、パラメータ設定部１０ｅは、選択された参考画像Ｒと同様の撮影パラメータを設定する。
【０１０１】
そして、ステップＳ１３３において、デジタルカメラ１の主制御部１０は、本撮影を実行し、本撮影により撮影した撮影画像を記憶部１３に保持する。本撮影の実行は、シャッターボタン１１ｂの押下や、タッチセンサ１１ａによる表示部１２ａに表示された本撮影ボタン画像のタップ操作の検出をトリガとして行われる。
【０１０２】
以上説明したように、本実施形態の撮影支援処理によれば、ユーザが選択した参考画像と同様の構図やアングル、エフェクト、カメラ設定（撮影パラメータの設定）等で、撮りたい画像を効果的に撮影することができる。なお、上記Ｓ１１５において、サーバ２は参考画像リストをデジタルカメラ１に送信しているが、サーバ２がデジタルカメラ１に送信するデータは参考画像リストに限定されず、例えば単数／複数の参考画像と、これに付加されている詳細情報およびスコア情報を送信するだけでもよい。また、サーバ２は、検索した参考画像に基づく参考画像候補画面を生成してデジタルカメラ１に送信してもよい。
【０１０３】
また、本実施形態による撮影支援処理は、図１０に示す処理に限定されない。例えば本実施形態による撮影支援システムは、本撮影した撮影画像に基づいて参考画像を再検索し、再検索した参考画像をユーザに提示する処理（フィードバック処理）を繰り返すことで、参考画像を絞り込み、よりユーザの希望（好み）に合った参考画像の提示を行う。
【０１０４】
すなわち、最初は被写体に撮像レンズを向けるだけで構図等は配慮せずに仮撮影を行うと、仮撮影画像に基づいて同じ被写体や似た被写体を撮影した様々な構図、アングル、エフェクトの撮影画像が参考画像として提示される。次に、参考画像に基づいて構図や撮影位置を調整した上で本撮影を行うと、本撮影画像に基づいて、同じ／似た被写体を、同じ／似た構図、アングル、エフェクトの撮影画像が参考画像として提示される。そして、本撮影と、本撮影画像に基づいて検索された参考画像の提示が繰り返されることで、参考画像が絞り込まれ、より技術の高い撮影画像が候補として提示され得る。以下、このような本撮影画像に基づく再検索処理について図１１を参照して具体的に説明する。
【０１０５】
図１１は、本撮影画像に基づく参考画像の再検索処理を示すシーケンス図である。図１１に示すように、まず、ステップＳ１３３において、デジタルカメラ１の主制御部１０は、本撮影を実行し、本撮影により撮影した撮影画像を記憶部１３に保持する（図１０に示す同ステップと同様の処理）。
【０１０６】
次いで、ステップＳ１３６において、デジタルカメラ１は、本撮影画像をサーバ２に送信する。この際、デジタルカメラ１は、本撮影画像と共に、本撮影画像の特徴量データを併せて送信してもよい。
【０１０７】
次に、ステップＳ１３９において、サーバ２の参考画像検索部２０ａは、デジタルカメラ１から送信された本撮影画像に基づいて、参考画像を検索する。具体的には、参考画像検索部２０ａは、本撮影画像および特徴量データに基づいて、本撮影画像に含まれる被写体と同じ／似た被写体を、本撮影画像と同じ／似た構図、アングル、エフェクトで撮影した他の撮影画像（参考画像）を記憶部２３から検索する。
【０１０８】
次いで、ステップＳ１４２において、サーバ２の参考画像検索部２０ａは、記憶部２３から検索した各参考画像のスコア情報を使用して、スコアの得点順に各参考画像をリスト化する。
【０１０９】
続いて、ステップＳ１４５において、サーバ２は、参考画像リストと各参考画像に付加されている詳細情報をデジタルカメラ１に送信する。
【０１１０】
次に、ステップＳ１４８において、デジタルカメラ１の参考画像候補表示制御部１０ｂは、サーバ２から送信された参考画像リストに応じて、表示部１２ａに参考画像候補を表示するよう制御する。
【０１１１】
次いで、ステップＳ１５１において、デジタルカメラ１は、表示部１２ａに表示された参考画像候補に対するユーザによる参考画像の選択を受け付ける。
【０１１２】
次に、ステップＳ１５４において、デジタルカメラ１の選択通知部１０ｆは、選択された参考画像を示す通知をサーバ２に対して行う。
【０１１３】
そして、ステップＳ１５７において、サーバ２のスコア管理部２０ｂは、デジタルカメラ１からの選択通知に基づいて、記憶部２３に保持されている当該選択された参考画像のスコアをインクリメントし、スコアを更新する。
【０１１４】
一方、ステップＳ１６０において、デジタルカメラ１の主制御部１０は、ユーザに選択された参考画像に基づく撮影パラメータの設定、表示、本撮影ガイド情報の表示等を行う。具体的には、例えば詳細情報出力制御部１０ｃは、本撮影のプレビュー画面において、ユーザに選択された参考画像Ｒの撮影パラメータや撮影場所・日時情報等を表示するよう制御する。また、本撮影ガイド情報表示制御部１０ｄは、本撮影のプレビュー画面において、参考画像Ｒと同様の構図やアングルを取れるよう補助線を表示する。また、パラメータ設定部１０ｅは、選択された参考画像Ｒと同様の撮影パラメータを設定する。
【０１１５】
そして、ステップＳ１６３において、デジタルカメラ１の主制御部１０は、本撮影を実行し、本撮影により撮影した撮影画像を記憶部１３に保持する。
【０１１６】
次いで、ステップＳ１６６において、デジタルカメラ１は、本撮影画像をサーバ２に送信し、以降Ｓ１３９〜Ｓ１６６が繰り返される。
【０１１７】
以上説明したように、本実施形態の撮影支援処理によれば、本撮影と、本撮影画像に基づく参考画像の再検索を繰り返すことで、ユーザに提示する参考画像を絞り込むことができる。これにより、ユーザは、本撮影を行う度に新しい構図、エフェクト、アングル、カメラ設定（撮影パラメータ）等を選択することができ、インタラクティブな撮影を繰り返すことができる。
【０１１８】
＜＜４．他の実施形態＞＞
以上、図１〜図１１を参照して説明した実施形態は、デジタルカメラ１（クライアント端末）とサーバ２を含む撮影支援システムであるが、本実施形態による撮影支援システムの主要な機能は、デジタルカメラ１単体で実行することもできる。以下、このようなデジタルカメラ１単体の撮影支援システムについて図１２〜図１３を参照して具体的に説明する。
【０１１９】
＜４−１．デジタルカメラの構成＞
図１２は、本開示の他の実施形態によるデジタルカメラ１’の内部構成例を示すブロック図である。図１２に示すように、本実施形態によるデジタルカメラ１’は、主制御部１０’、入力デバイス１１、出力デバイス１２、記憶部１３’、および通信部１４を有する。入力デバイス１１、出力デバイス１２、および通信部１４は、図２を参照して上述した各構成と同様であるので、ここでの説明は省略する。
【０１２０】
（主制御部）
主制御部１０’は、デジタルカメラ１’の各構成を制御する。主制御部１０’は、例えばマイクロプロセッサにより実現される。また、本実施形態による主制御部１０’は、図１２に示すように、仮撮影制御部１０ａ、参考画像候補表示制御部１０ｂ、詳細情報出力制御部１０ｃ、本撮影ガイド情報表示制御部１０ｄ、パラメータ設定部１０ｅ、参考画像検索部１０ｇ、およびスコア管理部１０ｈとして機能する。仮撮影制御部１０ａ、参考画像候補表示制御部１０ｂ、詳細情報出力制御部１０ｃ、本撮影ガイド情報表示制御部１０ｄ、およびパラメータ設定部１０ｅは、図２を参照して上述した同構成と同様であるので、ここでの説明は省略する。
【０１２１】
・参考画像検索部
参考画像検索部１０ｇは、仮撮影制御部１０ａにより撮影された仮撮影画像に基づいて、参考画像を記憶部１３’から検索する。具体的な検索方法については、図８を参照して説明した参考画像検索部２０ａと同様であるので、ここでの説明は省略する。参考画像検索部１０ｇは、検索した参考画像候補（または得点順に応じてリスト化した参考画像リスト）を、参考画像候補表示制御部１０ｂに供給する。
【０１２２】
・スコア管理部
スコア管理部１０ｈは、参考画像候補表示制御部１０ｂが表示部１２ａに表示した参考画像候補のうち、ユーザにより本撮影を行う際に参考するために選択された参考画像に対応付けられて記憶部１３’に保持されているスコア（参考回数スコア）を更新する。
【０１２３】
（記憶部）
記憶部１３’は、撮影画像を保持する記憶媒体である。また、記憶部１３’は、主制御部２０が上記各機能を実行するためのプログラムが記憶されたＲＯＭ（Ｒｅａｄ  Ｏｎｌｙ  Ｍｅｍｏｒｙ）や、主制御部２０が上記各機能を実行する際にワークエリアとして利用されるＲＡＭ（Ｒａｎｄｏｍ  Ａｃｃｅｓｓ  Ｍｅｍｏｒｙ）を含む。
【０１２４】
本実施形態による記憶部１３’は、デジタルカメラ１’において本撮影された撮影画像や、通信部１４を介して外部から取得した他ユーザにより撮影された撮影画像を保持する。また、記憶部１３’は、図８を参照して説明した記憶部２３と同様に、各撮影画像（参考画像）に、詳細情報、被写体情報、およびスコア情報を対応付けて保持している。
【０１２５】
以上説明した構成により、本実施形態によるデジタルカメラ１’は、デジタルカメラ１において仮撮影した仮撮影画像に基づいて、内蔵する記憶部１３’から参考画像を検索し、表示部１２ａに参考画像候補を表示することができる。なお、デジタルカメラ１’の参考画像検索部１０ｇは、内蔵する記憶部１３’の他、通信部１４を介して接続する外部の記憶装置から参考画像を検索してもよい。
【０１２６】
＜４−２．動作処理＞
次に、本実施形態による動作処理について図１３を参照して説明する。図１３は、本開示の他の実施形態による撮影支援処理を示すフローチャートである。
【０１２７】
図１３に示すように、まず、ステップＳ２０３において、デジタルカメラ１’の仮撮影制御部１０ａは、仮撮影を実行する。
【０１２８】
次に、ステップＳ２０６において、デジタルカメラ１’の参考画像検索部１０ｇは、仮撮影画像に基づいて、参考画像を検索する。具体的には、参考画像検索部１０ｇは、仮撮影画像および仮撮影画像から検出された特徴量データに基づいて、仮撮影画像に含まれる被写体と同じ／似た被写体を撮影した他の撮影画像（参考画像）を記憶部１３’から検索する。
【０１２９】
次いで、ステップＳ２０９において、参考画像検索部１０ｇは、記憶部１３’から検索した各参考画像のスコア情報を使用して、スコアの得点順に各参考画像をリスト化する。
【０１３０】
続いて、ステップＳ２１２において、デジタルカメラ１’の参考画像候補表示制御部１０ｂは、参考画像検索部２０ｇから供給された参考画像リストに応じて、表示部１２ａに参考画像候補を表示するよう制御する。
【０１３１】
次に、ステップＳ２１５において、デジタルカメラ１’は、表示部１２ａに表示された参考画像候補に対するユーザによる参考画像の選択を受け付ける。
【０１３２】
次いで、ステップＳ２１８において、デジタルカメラ１’のスコア管理部１０ｈは、参考画像の選択受け付けに応じて、記憶部１３’に保持されている当該選択された参考画像のスコアをインクリメントし、スコアを更新する。
【０１３３】
次に、ステップＳ２２１において、デジタルカメラ１’の主制御部１０’は、本撮影モードに切り替えて、ユーザに選択された参考画像に基づく撮影パラメータの設定、表示、本撮影ガイド情報の表示等を行う。
【０１３４】
そして、ステップＳ２２４において、デジタルカメラ１’の主制御部１０’は、本撮影を実行し、本撮影により撮影した撮影画像を記憶部１３’に保持する。
【０１３５】
以上説明したように、本開示の他の実施形態によるデジタルカメラ１’は、仮撮影画像に基づいて参考画像を検索し、表示部１２ａに参考画像候補を表示することができる。
【０１３６】
＜＜５．まとめ＞＞
上述したように、本実施形態による撮影支援システムは、仮撮影に基づいて検索した参考画像を表示し、選択された参考画像の詳細情報を表示また詳細情報に含まれる撮影パラメータを自動設定することで、ユーザの本撮影操作を支援することができる。
【０１３７】
以上、添付図面を参照しながら本開示の好適な実施形態について詳細に説明したが、本技術はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１３８】
例えば、デジタルカメラ１、１’、またはサーバ２に内蔵されるＣＰＵ、ＲＯＭ、およびＲＡＭ等のハードウェアに、上述したデジタルカメラ１、１’、またはサーバ２の機能を発揮させるためのコンピュータプログラムも作成可能である。また、当該コンピュータプログラムを記憶させたコンピュータ読み取り可能な記憶媒体も提供される。
【０１３９】
また、本明細書のデジタルカメラ１、１’、またはサーバ２の処理における各ステップは、必ずしも添付した各シーケンス図、フローチャートにおいて開示された順序に沿って時系列に処理する必要はない。例えば、デジタルカメラ１、１’、またはサーバ２の処理における各ステップは、シーケンス図またはフローチャートとして記載した順序と異なる順序で処理されても、並列的に処理されてもよい。具体的には、図１０に示すＳ１２４〜Ｓ１２７と、Ｓ１３０〜Ｓ１３３は、逆の順序で処理されてもよいし、並列的に処理されてもよい。
【０１４０】
また、表示部１２ａに表示された参考画像候補から参考画像を選択する方法は、上述したようなユーザによる手動選択の他、ランキング順（リスト順）に自動的に選択されてもよい。すなわち、デジタルカメラ１の主制御部１０は、仮撮影後、参考画像の提示等を行わずに本撮影モードに切り替える。そして、パラメータ設定部１０ｅは、シャッターボタン１１ｂが押下されて本撮影が行われる度に参考画像候補からランダムに、またはリスト順に自動的に選択される参考画像と同様の撮影パラメータを設定するよう制御する。このように、本実施形態によるデジタルカメラ１は、ユーザによる手動選択（選択操作）が無くても、参考画像候補から自動的に参考画像を選択し、本撮影において、当該参考画像の撮影パラメータを設定することができる。これにより、ユーザは、シャッターボタン１１ｂを押す度に毎回違うカメラ設定（撮影パラメータ）の画像を撮影することができる。
【０１４１】
また、上記詳細情報出力制御部１０ｃは、デジタルカメラ１（クライアント端末）に設けられる表示部１２ａや音声出力部（スピーカ）からの詳細情報の出力の他、外部表示装置や外部音声出力装置から出力させることもできる。例えば、本開示によるクライアント端末が、表示部や音声出力部といった出力部を有していない場合、詳細情報出力制御部１０ｃは、ユーザ手持ちのモバイル端末（スマートフォン、タブレット端末等）から詳細情報を出力させる。クライアント端末が出力部を有していない場合とは、例えばクライアント端末がアクションカメラや内蔵カメラが設けられた頭部装着装置または眼鏡装置の場合である。
【０１４２】
また、参考画像に対応付けられているスコア（参考回数スコア）の利用方法としては、上述した参考画像のリスト化の他、各ユーザの嗜好傾向の把握、人気撮影スポット、人気撮影時間帯、または人気カメラ設定（人気撮影パラメータ設定）の統計に使用され得る。
【０１４３】
なお、本技術は以下のような構成も取ることができる。
（１）
撮像部により仮撮像した仮撮像画像に基づいて検索された、本撮像の際に参考にされる参考撮像画像の候補を表示部に表示するよう制御する候補表示制御部と、
表示された前記参考撮像画像の候補から選択された参考撮像画像に付加されている詳細情報を出力するよう制御する詳細情報出力制御部と、
を備える、クライアント端末。
（２）
前記詳細情報出力制御部は、前記詳細情報を、前記表示部に表示、または音声出力部から出力するよう制御する、前記（１）に記載のクライアント端末。
（３）
前記候補表示制御部は、前記参考撮像画像の候補を、各参考撮像画像の撮像位置に対応するよう地図画像上に表示するよう制御する、前記（１）または（２）に記載のクライアント端末。
（４）
前記候補表示制御部は、前記参考撮像画像の候補を、前記表示部の画面上において、前記クライアント端末のグリップ側に表示するよう制御する、前記（１）または（２）に記載のクライアント端末。
（５）
前記詳細情報出力制御部は、前記参考撮像画像の候補を表示している画面上に、前記詳細情報を表示するよう制御する、前記（１）〜（４）のいずれか１項に記載のクライアント端末。
（６）
前記詳細情報出力制御部は、前記参考撮像画像の選択に応じて切り替えられた本撮像のプレビュー画面上に、前記詳細情報を表示するよう制御する、前記（１）〜（４）のいずれか１項に記載のクライアント端末。
（７）
前記詳細情報は、撮像パラメータ、撮像位置情報、および撮像日時情報の少なくともいずれかを含む、前記（１）〜（６）のいずれか１項に記載のクライアント端末。
（８）
前記クライアント端末は、
前記参考撮像画像の選択に応じて本撮像モードに切り替えられた際、前記選択された参考撮像画像に付加されている前記詳細情報に含まれる撮像パラメータを設定するパラメータ設定部をさらに備える、前記（１）〜（７）のいずれか１項に記載のクライアント端末。
（９）
前記クライアント端末は、
前記参考撮像画像の選択に応じて本撮像モードに切り替えられた際、前記選択された参考撮像画像に応じた本撮像ガイド情報を、本撮像のプレビュー画面上に表示するよう制御するガイド情報表示制御部をさらに備える、前記（１）〜（８）のいずれか１項に記載のクライアント端末。
（１０）
前記本撮像ガイド情報は、選択された参考撮像画像と同様の構図またはアングルを取るためのガイド情報、および前記クライアント端末の持ち方のガイド情報の少なくともいずれかを含む、前記（９）に記載のクライアント端末。
（１１）
前記候補表示制御部は、各参考撮像画像の候補に付加されているスコア情報に応じて、各参考撮像画像の表示位置または／および表示サイズを制御する、前記（１）〜（１０）のいずれか１項に記載のクライアント端末。
（１２）
前記参考撮像画像とは、前記仮撮像した仮撮像画像に含まれる被写体と同じ／似た被写体、または当該仮撮像画像と同じ／似た構図、アングル、エフェクトの撮像画像である、前記（１）〜（１１）のいずれか１項に記載のクライアント端末。
（１３）
前記候補表示制御部は、本撮像した本撮像画像に基づいて再検索された参考撮像画像の候補を前記表示部に表示するよう制御する、前記（１）〜（１２）のいずれか１項に記載のクライアント端末。
（１４）
前記クライアント端末は、
前記参考撮像画像の候補をサーバから受信する受信部をさらに備える、前記（１）〜（１３）のいずれか１項に記載のクライアント端末。
（１５）
前記クライアント端末は、
前記参考撮像画像を記憶する記憶部と、
前記仮撮像した仮撮像画像に基づいて、前記記憶部から参考撮像画像の候補を検索する検索部と、
をさらに備える、前記（１）〜（１４）のいずれか１項に記載のクライアント端末。
（１６）
撮像部により仮撮像した仮撮像画像に基づいて検索された、本撮像の際に参考にされる参考撮像画像の候補を表示部に表示するよう制御するステップと、
表示された前記参考撮像画像の候補から選択された参考撮像画像に付加されている詳細情報を出力するよう制御するステップと、
を含む、表示制御方法。
（１７）
コンピュータに、
撮像部により仮撮像した仮撮像画像に基づいて検索された、本撮像の際に参考にされる参考撮像画像の候補を表示部に表示するよう制御する処理と、
表示された前記参考撮像画像の候補から選択された参考撮像画像に付加されている詳細情報を出力するよう制御する処理と、
を実行させるための、プログラム。
（１８）
仮撮像した仮撮像画像をサーバに送信する送信部と；
仮撮像した仮撮像画像に基づいて検索された参考撮像画像の候補を前記サーバから受信する受信部と；
前記受信部により受信した参考撮像画像の候補を表示部に表示するよう制御する候補表示制御部と；
表示された前記参考撮像画像の候補から選択された参考撮像画像に付加されている詳細情報を出力するよう制御する詳細情報出力制御部と；
を有する、クライアント端末と、
前記参考撮像画像を記憶する記憶部と；
前記クライアント端末から送信された前記仮撮像画像に基づいて、前記記憶部から参考撮像画像の候補を検索する検索部と；
前記検索部により検索された参考撮像画像の候補を前記クライアント端末に送信する送信部と；
を有する、サーバと、
を備える、システム。
【符号の説明】
【０１４４】
１、１’    デジタルカメラ
１０，１０’    主制御部
１０ａ    仮撮影制御部
１０ｂ    参考画像候補表示制御部
１０ｃ    詳細情報出力制御部
１０ｄ    本撮影ガイド情報表示制御部
１０ｅ    パラメータ設定部
１０ｇ    参考画像検索部
１０ｈ    スコア管理部
１１    入力デバイス
１１ａ    タッチセンサ
１１ｂ    シャッターボタン
１１ｃ    ズームレバー
１１ｄ    各種操作ボタン
１２    出力デバイス
１２ａ    表示部
１３、１３’    記憶部
１４    通信部
２    サーバ
２０    主制御部
２０ａ    参考画像検索部
２０ｂ    スコア管理部
２３    記憶部
２４    通信部
３０    「ｏｔｈｅｒ」表示
３１    補助線
３３    詳細情報
Ｃ１〜Ｃ４    参考画像候補
Ｐ１    スルー画像（仮撮影画像）
Ｐ３    本撮影プレビュー画面（スルー画像）
Ｒ    参考画像
【図１】
2014178228.tif 000003
【図２】
2014178228.tif 000004
【図３】
2014178228.tif 000005
【図４】
2014178228.tif 000006
【図５】
2014178228.tif 000007
【図６】
2014178228.tif 000008
【図７Ａ】
2014178228.tif 000009
【図７Ｂ】
2014178228.tif 000010
【図８】
2014178228.tif 000011
【図９】
2014178228.tif 000012
【図１０】
2014178228.tif 000013
【図１１】
2014178228.tif 000014
【図１２】
2014178228.tif 000015
【図１３】
2014178228.tif 000016
【国際調査報告】
2014178228.tif 000017
2014178228.tif 000018
2014178228.tif 000019
2014178228.tif 000020